(57)【要約】【課題】ロフト角を複数段階に調整可能なゴルフスイング練習用具の提供。【解決手段】フェースプレート１１と、シャフト１２ａと、これらの連結手段１３とを含む。連結手段は、固定ネック部２１と、シャフトが適宜のライ角をなすようにシャフトの先端部を支持して固定ネック部に回動可能に嵌合される回動ネック部２２とを含む。固定ネック部に対して回動ネック部を一定角度段階的に回動させることで複数段階のロフト角が調整可能な歯列から構成される機構Ｍ１，Ｍ２を備える。【選択図】  図２
2007130103.tif 000002
【特許請求の範囲】
【請求項１】
フェースプレートと、シャフトと、該フェースプレート及び該シャフトの連結手段とを含み、
前記連結手段は、前記フェースプレートのソール部へ偏倚する仮想基準水平線の延長線に沿って該フェースプレートのヒール部から突出する固定ネック部と、前記シャフトが適宜のライ角をなすように該シャフトの先端部を支持する回動ネック部と、固定手段とを含み、
前記固定及び回動ネック部は、その一方が前記仮想基準水平線に沿う方向へ延出する第１嵌合周面を有する支軸を、その他方が該支軸に抜脱可能に嵌合する第２嵌合周面を有するボスを、かつ、前記固定手段は前記固定及び回動ネック部の嵌合を固定する機能をそれぞれ備え、
前記第１及び第２嵌合周面は、それらの周回方向へ前記固定及び回動ネック部の一方を他方に対して一定角度段階的に回動させることで複数段階のロフト角が調整可能な機構を備えるゴルフスイング練習用具。
【請求項２】
前記固定ネック部は前記支軸を含み、前記回動ネック部は前記ボスを含む請求項１記載の練習用具。
【請求項３】
前記ロフト角が調整可能な機構は、前記第１及び第２嵌合周面にその周回方向へ複数配列し互いに噛合する歯列である請求項１又は２記載の練習用具。
【請求項４】
前記固定ネック部が含む前記支軸は、前記フェースプレートの前記ヒール部に隣接する前記固定ネック部の基部から突出し、該支軸の軸方向へ順に、大径嵌合周面と、該大径嵌合周面に隣接する小径嵌合周面と、該小径嵌合周面に隣接しこれよりも小径のねじ部とを有し、前記回動ネック部が含む前記ボスは、該ボスの前後端間の長さ方向へ順に、前記大径嵌合周面に嵌合する前端大径嵌合周面と、該大径嵌合周面に隣接し前記小径嵌合周面に嵌合する小径嵌合周面とを有し、前記歯列は前記固定ネック部の前記小径嵌合周面及び前記回動ネック部の前記小径嵌合周面にそれぞれ形成されており、前記固定手段は、前記ボスが前記支軸に嵌合した状態で、前記前端大径嵌合周面の側から前記ねじ部に螺合する螺旋孔を有するナットである請求項１〜３のいずれかに記載の練習用具。
【請求項５】
前記ボスはその前記小径嵌合周面に隣接する後端大径嵌合周面をさらに有し、一方、前記固定手段は前記ボスとの対向側へ突出し該後端大径嵌合周面に嵌合する環状突部を有する請求項４に記載の練習用具。
【請求項６】
前記フェースプレートは、その輪郭形がゴルフクラブのそれに模して形成され、そのフェース面の大きさがゴルフクラブのフェース面の２〜３倍又は卓球のラケットのブレードとほぼ同じである請求項１〜５のいずれかに記載の練習用具。
【請求項７】
少なくとも前記回動ネック部及び前記固定手段が合成樹脂から成形されている請求項４記載の練習用具。
【請求項８】
前記ボスと前記固定手段との対向面の一方にはその周回方向へ一定間隔で凹条溝が、その他方にはその周回方向へ一定間隔で該凹条溝に係合する突条部が形成されている請求項７記載の練習用具。
【請求項９】
前記ライ角はゴルフクラブ・５〜８番アイアンの標準的ライ角とほぼ同程度であり、前記ロフト角はゴルフクラブ・ドライバー及びサンドウェッジの各標準的ロフト角及びそれらの中間のロフト角とほぼ同程度の三段階に構成されている請求項１〜８のいずれかに記載の練習用具。
【請求項１０】
前記フェースプレートのフェース面は、その少なくとも中央面域がスコアラインと、該中央面域における該スコアラインを除く部分が粗面に形成されている請求項１〜９のいずれかに記載の練習用具。
【請求項１１】
フェースプレートと、シャフトと、該フェースプレート及び該シャフトの連結手段とを含み、
前記連結手段は、前記フェースプレートのソール部へ偏倚する仮想基準水平線の延長線に沿って該フェースプレートのヒール部から突出する固定ネック部と、前記シャフトが適宜のライ角をなすように該シャフトの先端部を支持する回動ネック部と、固定手段とを含み、
前記固定ネック部は前記仮想基準水平線に沿う方向へ延びる第１嵌合周面及びねじ部を有する支軸を含み、前記回動ネック部は該支軸に抜脱可能に嵌合する第２嵌合周面を有するボスを含み、前記固定手段はナット機能で前記ねじ部に螺合して前記回動ネック部を固定する螺旋周面を含み、
前記第１及び第２嵌合周面は、それらの周回方向へ前記固定及び回動ネック部の一方を他方に対して一定角度段階的に回動させることで複数段階のロフト角が調整可能な機構を備え、前記調整機構は互いに噛合する歯列から構成されているゴルフスイング練習用具。
【発明の詳細な説明】
【技術分野】
【０００１】
この発明は、ロフト角が複数段階に調整可能な機構を備えるゴルフスイング練習用具に関する。
【背景技術】
【０００２】
従来、ロフト角及びライ角の調整可能なゴルフクラブは、ゴルフクラブヘッドに関する特許文献１に開示されている。この調整機構は、ヘッド本体の内部に設けた角度調整部材を有し、この角度調整部材は、角度支持部材とこれに対して着脱可能で、かつ、交換可能である偏心肉厚を備えたホーゼル部材とから構成されている。これらの調整、特にロフト角の調整は、ホーゼル部材の偏心肉厚部分がヘッド本体のフェース面又はバック側に位置させてなすものである。
【特許文献１】特開平１０−１３７３７３号公報
【発明の開示】
【発明が解決しようとする課題】
【０００３】
しかしながら、特許文献１に開示の前記調整機構は、ホーゼル部材の向きを変え、また必要に応じて、偏心肉厚が異なる他のホーゼル部材と交換する必要がある。その作業は、道具を使用する必要があり、競技や練習の現場で即座に使用可能になるようになすことは、一般ゴルファーにとって困難なものである。したがって、前記ゴルフクラブヘッドは、スイング練習用具として開発されたものではないが、その練習用具としては適当なものではない。
【０００４】
一方、クラブのスイング練習において、ボールインパクト時のフェース面の向きが重要であることから、本や板材を手で挟んで、フェースローテーション（スイング中のフェース面の動き）をレッスンしているのが現状である。
【０００５】
この発明者が知る限り、フェースローテーションなど視認してスイング練習するのに好適な練習用具が皆無であった。
【０００６】
スイング練習においては、フェースローテーション、ボールの弾道及びスピン状態を視認しながらスイングすることが肝要であることから、この発明者は、ロフト角が簡単に調整可能であり、フェースローテーション、ボールの弾道及びスピン状態を視認可能なフェース面を有するクラブ状練習用具を得るため試行錯誤の結果、この発明に到達したものである。
【課題を解決するための手段】
【０００７】
この発明は、フェースプレートと、シャフトと、該フェースプレート及び該シャフトの連結手段とを含み、かつ、前記連結手段は、前記フェースプレートのソール部へ偏倚する仮想基準水平線の延長線に沿って該フェースプレートのヒール部から突出する固定ネック部と、前記シャフトが適宜のライ角をなすように該シャフトの先端部を支持する回動ネック部と、固定手段とを含む。前記固定及び回動ネック部は、その一方が前記仮想基準水平線に沿う方向へ延出する第１嵌合周面を有する支軸を、その他方が該支軸に抜脱可能に嵌合する第２嵌合周面を有するボスを、かつ、前記固定手段は前記固定及び回動ネック部の嵌合を固定する機能をそれぞれ備える。前記第１及び第２嵌合周面は、それらの周回方向へ前記固定及び回動ネック部の一方を他方に対して一定角度段階的に回動させることで複数段階のロフト角が調整可能な機構を備える。
【０００８】
この発明は、実施の形態として下記を含むことができる。
【０００９】
前記固定ネック部は前記支軸を含み、前記回動ネック部は前記ボスを含む。
【００１０】
前記ロフト角が調整可能な機構は、前記第１及び第２嵌合周面にその周回方向へ複数配列し互いに噛合する歯列であることが好ましい。
【００１１】
前記固定ネック部が含む前記支軸は、前記フェースプレートの前記ヒール部に隣接する前記固定ネック部の基部から突出し、該支軸の軸方向へ順に、大径嵌合周面と、該大径嵌合周面に隣接する小径嵌合周面と、該小径嵌合周面に隣接しこれよりも小径のねじ部とを有し、前記回動ネック部が含む前記ボスは、該ボスの前後端間の長さ方向へ順に、前記大径嵌合周面に嵌合する前端大径嵌合周面と、該大径嵌合周面に隣接し前記小径嵌合周面に嵌合する小径嵌合周面とを有し、前記歯列は前記固定ネック部の前記小径嵌合周面及び前記回動ネック部の前記小径嵌合周面にそれぞれ形成されていることが好ましい。前記固定手段は、前記ボスが前記支軸に嵌合した状態で、前記前端大径嵌合周面の側から前記ねじ部に螺合する螺旋孔を有するナットであることが好ましい。
【００１２】
前記ボスはその前記小径嵌合周面に隣接する後端大径嵌合周面をさらに有し、一方、前記固定手段は前記ボスとの対向側へ突出し該後端大径嵌合周面に嵌合する環状突部を有することが好ましい。
【００１３】
前記フェースプレートは、その輪郭形がゴルフクラブのそれに模して形成され、そのフェース面の大きさがゴルフクラブのフェース面の２〜３倍又は卓球のラケットのブレードとほぼ同じであることが好ましい。
【００１４】
少なくとも前記回動ネック部及び前記固定手段は合成樹脂から成形されていることが好ましい。
【００１５】
前記ボスと前記固定手段との対向面の一方にはその周回方向へ一定間隔で凹条溝が、その他方にはその周回方向へ一定間隔で該凹条溝に係合する突条部が形成されていることが好ましい。
【００１６】
前記ライ角はゴルフクラブ・５〜８番アイアンの標準的ライ角とほぼ同程度であり、前記ロフト角はゴルフクラブ・ドライバー及びサンドウェッジの各標準的ロフト角及びそれらの中間のロフト角とほぼ同程度の三段階であることが好ましい。
【００１７】
前記フェースプレートのフェース面は、その少なくとも中央面域がスコアラインと、該中央面域における該スコアラインを除く部分が粗面に形成されていることが好ましい。
【００１８】
さらにこの発明は、下記の構成を採択することも可能である。すなわち、
【００１９】
フェースプレートと、シャフトと、該フェースプレート及び該シャフトの連結手段とを含み、前記連結手段は、前記フェースプレートのソール部へ偏倚する仮想基準水平線の延長線に沿って該フェースプレートのヒール部から突出するネック固定部と、前記シャフトが適宜のライ角をなすように該シャフトの先端部を支持する回動ネック部と、固定手段とを含み、前記固定ネック部は前記仮想基準水平線に沿う方向へ延びる第１嵌合周面及びねじ部を有する支軸を含み、前記回動ネック部は該支軸に抜脱可能に嵌合する第２嵌合周面を有するボスを含み、前記固定手段はナット機能で前記ねじ部に螺合して前記回動ネック部を固定する螺旋周面を含み、前記第１及び第２嵌合周面は、それらの周回方向へ前記固定及び回動ネック部の一方を他方に対して一定角度段階的に回動させることで複数段階のロフト角が調整可能な機構を備え、前記調整機構は互いに噛合する歯列から構成されているゴルフスイング練習用具の構成。
【発明の効果】
【００２０】
この発明に係るゴルフスイング練習用具によれば、ゴルフクラブのフェース面のロフト角は、ドライバーのそれからサンドウェッジのそれまでかなり幅があるところ、ロフト角を練習に好適な複数段階に調整して使用することができる。
【００２１】
また、フェースローテーション、ボールの弾道及びスピン状態を視認して、スイングを自ら効果的に矯正することができる。
【００２２】
さらに、ロフト角は、道具を使用することなく、即座かつ簡単にフェースプレートとシャフトとの連結部を操作して調整可能であるので、使用上きわめて簡便である。
【発明を実施するための最良の形態】
【００２３】
この発明を実施するための最良の形態について図示例を参照して説明すると、以下のとおりである。
【００２４】
図１〜図３において、この発明に係るゴルフスイング練習用具１０は、フェースプレート１１と、グリップ兼シャフト１２と、これらの連結手段１３とから構成され、これらすべての構成要素は、好ましくは合成樹脂から形成される。
【００２５】
フェースプレート１１は、ゴルフクラブのヘッドに対応し、フェース面１４と、その反対側のバックフェースとを有し、輪郭形がアイアンクラブのヘッドを模して形成される。フェース面１４は、ボールのスピンを向上させるため、フェースプレート１１のトウ部１５とヒール部１６とのそれぞれの近傍の境界線１７，１８で画成される面域１９にスコアライン２０及びこれを除く面域１９が粗面に形成されている。ボールがインパクトする領域、すなわち、面域１９は、図示されていないが、フェースプレート１１とは異なる材料をフェース面１４に装着して形成されることもある。また、図示されていないが、フェースプレート１１は、その高さ方向のほぼ中央部からソール部２４へかけての領域の肉厚が次第に大きくなるように形成されている。
【００２６】
フェースプレート１１に関して肝要なことは、この発明者の知見によれば、フェースローテーション、ボールの弾道及びスピン状態を視認し易くするため、フェースプレート１１は、実際のクラブヘッドのフェース面のほぼ２〜３倍又は卓球のラケットのブレード程度のサイズに形成されていることである。
【００２７】
グリップ兼シャフト１２は、シャフト部１２ａと、これを一体的に被覆する、比較的に柔らかくて摩擦性のあるゴム又は合成樹脂製のカバー１２ｂとから形成されている。グリップ兼シャフト１２の長さは、後述するボール支持のためのスタンドを使用し、フェースローテーション、ボールの弾道及びスピン状態をより近くで視認できるようにするためには、ゴルフクラブのグリップの長さ程度に形成されていることが好ましい。ただし、前者の長さよりも長く、例えば、ゴルフクラブの長さ程度に形成されていると、前記視認ができないというものではなく、前者の長さに限定されるものではない。
【００２８】
連結手段１３は、固定ネック部２１と、回動ネック部２２と、固定手段２３とから構成される。固定ネック部２１は、フェースプレート１１のソール部２４へ偏倚する仮想基準水平線２５の延長線に沿ってヒール部１６から突出する。ただし、固定ネック部２１は、フェースプレート１１と別体に形成してこれと一体化されることもある。固定ネック部２１は、ヒール部１６に一体的に設けられ断面円形をなす固定ネック部２１の基部２６からその径よりも小さい径で突出する支軸２７を有する。支軸２７は、その軸方向へ順に、大径嵌合周面２８と、大径嵌合周面２８に隣接する小径嵌合周面２９と、小径嵌合周面２９に隣接しこれよりも小径のねじ部３０とを有する。回動ネック部２２は、断面環状のボス３１を有する。ボス３１は、その前後端間の長さ方向へ順に、固定ネック部２１の大径嵌合周面２８に嵌合する前端大径嵌合周面３２と、前端大径嵌合周面３２に隣接し固定ネック部２１の小径嵌合周面２９に嵌合する小径嵌合周面３３と、小径嵌合周面３３に隣接する後端大径嵌合周面３４とを有する。
【００２９】
ボス３１には、シャフト１２ａがその大径基部１２ｃを介して連結される。シャフト１２ａは、図１に示すように、仮想基準水平線２５をほぼ水平になるように練習用具１０を保持したとき、すなわち、ソール部２４が練習場の地面や床面などに正常に座するようにしたとき、これら面に対してシャフト１２ａの軸線３５がライ角αをなすようにボス３１に支持される。このライ角αは、適宜の角度、例えば、ゴルフクラブ・５〜８番アイアンの標準的なライ角程度（６０〜６３度）であることが好ましい。
【００３０】
固定手段２３は、袋ナット状に形成され、支軸２７のねじ部３０に螺合する螺旋周面３６と、ボス３１の後端大径嵌合周面３４に嵌合する環状突部３７とを有する。固定手段２３の外面には、装飾を兼ねて使用者の指先に対する滑り止め機能を有する複数の凹条部３８が形成される。
【００３１】
図４、図５において、ボス３１の後端周面３９には、その周回方向へ一定間隔で径方向へ延びる凹条４０が形成される一方、その後端周面３９に接触する固定手段２３のフランジ面４１には、その周回方向へ前記間隔と一致する間隔で凸条４２が形成される。
【００３２】
固定ネック部２１に回動ネック部２２を連結するには、固定ネック部２１のねじ部３０に固定手段２３の螺旋周面３６を螺合させて固定手段２３が回動締付けられる。回動ネック部２２及び固定手段２３が合成樹脂から形成されていると、前記締付時におけるボス３１の後端周面３９に対する固定手段２３のフランジ面４１の強い摺接によってそれら面が弾性変形しながら固定手段２３を回動させ、凹凸条４０，４２を互いに係合させることができる。つまり、そうした固定手段２３の締付作用によって、固定及び回動ネック部２１，２２の連結状態が確実に固定され、こうした固定手段を採択することが好ましい。しかしながら、固定ネック部２１に対する回動ネック部２２の連結状態の固定手段としては、袋ナット状以外の適宜構造を有するものであってもよい。
【００３３】
図６〜図８において、固定ネック部２１の小径嵌合周面２９及び回動ネック部２２の小径嵌合周面３３（図２参照）には、シャフト１２ａの軸線３５に対するフェースプレート１１のフェース面１４（図１参照）のロフト角βを段階的に調整可能な機構Ｍ１及Ｍ２が設けられている。機構Ｍ１は、固定ネック部２１の縦中心線４３を挟む小径嵌合周面２９の互いに対向する部位にその周回方向へ並列する二つずつの噛合歯４４ａ，４４ｂから構成される。機構Ｍ２は、回動ネック部２２の縦中心線４３’とこれに直交する横中心線４５’とがなす角度範囲で中心線４５へ偏倚し互いに対向する部位にその周回方向へ並列する三つずつの噛合歯４６ａ，４６ｂ，４６ｃから構成される。フェースローテーション、ボールの弾道及びスピン状態を確実に視認するためには、ロフト角の程度が肝要である。固定ネック部２１の噛合歯４４ａ，４４ｂ間に回動ネック部２２の噛合歯４６ａが位置する噛合状態におけるロフト角βは、ゴルフクラブ・ドライバーの標準ロフト角の程度にされ、固定ネック部２１の噛合歯４４ａ，４４ｂ間に回動ネック部２２の噛合歯４６ｃが位置する噛合状態におけるロフト角βは、ゴルフクラブ・サンドウェッジの標準ロフト角の程度にされ、固定ネック部２１の噛合歯４４ａ，４４ｂ間に回動ネック部２２の噛合歯４６ｂが位置する噛合状態におけるロフト角βは、ゴルフクラブ・ドライバーとサンドウェッジの各標準ロフト角の中間程度、すなわち、４〜５アイアンのロフト角にされるのが好ましい。具体的には、ロフト角βは、１０度から５８度の範囲であることが好ましく、図６の状態におけるロフト角βは１０度である。また、θ１，θ２，θ３の角度は、それぞれ２２．５度に形成されている。
【００３４】
以上の構成を有するこの発明の実施の形態に係る練習用具１０の組立て及びロフト角の調整について、図２，図３，図７，図８を参照して言及すると、以下のとおりである。
【００３５】
固定ネック部２１に対して回動ネック部２２を嵌合連結するが、その際、ロフト角の調整機構Ｍ１の噛合歯４４ａ，４４ｂに対してM２の噛合歯４６ａ，４６ｂ，４６ｃのいずれかを選んで位置合わせしながら、固定ネック部２１に対してそのねじ部３０の端面側から回動ネック部２２を押し込む状態で嵌合させると、前記位置合わせした前記歯が互いに噛合する。この状態では、固定ネック部２１の大径嵌合周面２８に回動ネック部２２の前端大径嵌合周面３２が、かつ、固定ネック部２１の小径嵌合周面２９に回動ネック部２２の小径嵌合周面３３がそれぞれ嵌合する。しかるのち、固定手段２３の環状突部３７を回動ネック部２２の後端大径嵌合周面３４に嵌合させた状態で固定ネック部２１のねじ部３０に固定手段２３の螺旋周面３６を螺合させることで固定手段２３を締付ける。このようにして連結手段１３を介してフェースプレート１１とシャフト１２ａとを連結するところ、別のロフト角を調整する場合には、固定ネック部２１から回動ネック部２２を一旦抜脱したのち、再び前述のとおり操作すればよい。
【００３６】
なお、前記位置合わせに便利なように、固定及び可動ネック部２１，２２の外周面の所要位置に目印を表示してあることが好ましい。
【００３７】
図９において、練習用具１０でボールを打つ場合に好適なスタンド１００が示されている。スタンド１００は、脚部１０２と、先端部にティ１０３を有する支柱１０４とから構成されている。支柱１０４は、外側パイプ１０４ａとこれに上下摺動可能に挿入する内側パイプ１０４ｂとから構成され、支柱１０４には、内側パイプ１０４ｂを上下摺動させて支柱１０４の高さを調節した状態を保持するための螺子１０５が設けられる。ティ１０３は、ゴム又は合成樹脂からパイプ状に形成され、その上端部がその周回方向へ分割されて支承部１０６が形成されている。
【００３８】
仮想線で示されるボール１０７は、比較的大きいもの、例えば、直径６０ｍｍ程度で、スポンジボールのごとき発泡材料などの軽量なものから形成されているものが好ましい。このように軽量で柔らかいボールは、室内で打球しても危険がないばかりでなく、インパクト時に、練習用具１０にこれが変形や破損するほどの強い衝撃を与える虞がないので好ましい。また、ボールのスピン状態を視認し易くするうえでは、ボールにカラーのラインなどの模様が表わしてあるものが好ましい。
【図面の簡単な説明】
【００３９】
【図１】この発明に係るゴルフスイング練習用具の側面図。
【図２】図１の練習用具を一部断面しかつ省略する分解側面図。
【図３】連結手段部位の結合断面図。
【図４】回動ネック部の端面の拡大平面図。
【図５】固定手段の端面の拡大平面図。
【図６】図１の練習用具を一部省略するその後側面図。
【図７】固定ネック部をその後端周面から見た状態の拡大図。
【図８】回動ネック部をその前端周面から見た状態の拡大図。
【図９】スタンドの斜視図。
【符号の説明】
【００４０】
１０  練習用具
１１  フェースプレート
１２ａ  シャフト
１３  連結手段
１４  フェース面
１６  ヒール部
２１  固定ネック部
２２  回動ネック部
２３  固定手段
２４  ソール部
２５  仮想基準水平線
２７  支軸
２８  大径嵌合周面
２９  小径嵌合周面
３０  ねじ部
３１  ボス
３２  前端大径嵌合周面
３３  小径嵌合周面
３４  後端大径嵌合周面
３６  螺旋周面
３７  環状突部
３９  後端周面
４０  凹条
４１  フランジ面
４２  突条
４４ａ，４４ｂ  噛合歯
４６ａ，４６ｂ，４６ｃ  噛合歯
α    ライ角
β    ロフト角
M１，M２  ロフト角の調整機構
【図１】
2007130103.tif 000003
【図２】
2007130103.tif 000004
【図３】
2007130103.tif 000005
【図４】
2007130103.tif 000006
【図５】
2007130103.tif 000007
【図６】
2007130103.tif 000008
【図７】
2007130103.tif 000009
【図８】
2007130103.tif 000010
【図９】
2007130103.tif 000011